(57)【要約】【課題】メモリカードに認証情報を記録し他の機器で利用可能とする。【解決手段】メータ１、センサまたは家電機器と通信し、各種情報を処理する情報処理部と、通信回線を介して情報処理サーバ装置３と通信する送受信部とを備える情報端末装置２において、メモリカード３１３を接続するインターフェイス部３０８を備え、情報処理サーバ装置３が提供するサービス利用時に通信する認証情報を、メモリカード３１３に記録し他の情報機器に接続し、インターネットを介して情報処理サーバ装置３に接続し、提供されるサービスのユーザー認証を行い、ホームページ上から情報端末装置２に接続された機器の設定、制御をできるようにすることで、サービスの利便性、操作性の向上を図る。【選択図】　　図３
2004032233.tif 000002
【特許請求の範囲】
【請求項１】
ガス、電気、水道などのエネルギー供給に関する情報又はセンシング情報又は機器への制御情報などを処理する情報処理部と、情報を保持・記憶する為の情報記憶部と、通信回線を介して情報処理サーバ装置との間で通信する送受信部とを備えた情報端末装置であって、前記情報端末装置への設定情報または認証情報を記録する記録媒体を接続するインターフェイス部を備えた情報端末装置。
【請求項２】
情報端末装置は、少なくとも１つ以上の端末機器と通信する機能を備え、前記端末機器へ設定したＩＤ情報又は通信条件又は動作条件などの設定情報をインターフェイス部に接続した記録媒体に記録する記録媒体情報処理部を備えた請求項１に記載の情報端末装置。
【請求項３】
ガス、電気、水道などのエネルギー供給に関する端末機器への少なくとも一部の設定情報を暗号化して記録媒体に記録する請求項１または２に記載の情報端末装置。
【請求項４】
情報端末装置及び通信される端末機器への設定情報は、記録媒体に書き込み又は読み出しが行われると、情報処理サーバ装置に対して、前記設定情報を記録媒体へ保存したことまたは記録媒体の設定情報を読み出しを通報する請求項１、２または３に記載の情報端末装置。
【請求項５】
ガス、電気、水道などのエネルギー供給に関する情報又はセンシング情報又は機器への制御情報などを処理する情報処理部と、情報を保持・記憶する為の情報記憶部と、通信回線を介して通信する送受信部と、設定情報または認証情報を記録する記録媒体を接続するインターフェイス部を備え、前記設定情報が記録媒体に書き込み又は読み出しが行われると、前記設定情報を記録媒体へ保存したこと又は記録媒体の設定情報を読み出したことを通報する情報サービスシステム。
【請求項６】
ガス、電気、水道などのエネルギー供給に関する情報又はセンシング情報又は機器への制御情報などを処理する情報処理部と、情報を保持・記憶する為の情報記憶部と、通信回線を介して通信する送受信部と、設定情報又は認証情報を記録する記録媒体を接続するインターフェイス部を備え、記録媒体にユーザーの認証情報を記録し、前記記録媒体を広域通信網に接続された機器上で動作するソフトウェア制御手段によって前記記録媒体に記録された認証情報を読み出し、ユーザー認証処理を行い、設定確認又は設定変更又は情報端末装置に接続された端末機器への制御を行う情報サービスシステム。
【請求項７】
ソフトウェア制御手段で設定変更又は端末機器への制御などを行った情報は、情報処理サーバ装置に記録され、記録された情報によりユーザーの情報端末装置に対し通信情報を生成・送信し、設定変更または制御を行う請求項６に記載の情報サービスシステム。
【請求項８】
情報端末装置又は通信される端末機器の設定情報を情報記憶部に記録するステップと、前記設定情報を記録媒体へ書き込み又は記録媒体から情報記憶部へ読み出しを行うステップと、情報端末装置と通信する情報処理サーバ装置に対して設定情報を記録媒体へ保存したこと又は記録媒体の設定情報を読み出し情報端末装置に設定したことを通報するステップを備えた情報端末装置の設定方法。
【請求項９】
記録媒体にユーザーの認証情報を記録するステップと、前記記録媒体を広域通信網に接続された機器上で動作するソフトウェア制御手段によって前記記録媒体に記録された認証情報を読み出し、ユーザー認証処理を行うステップと、設定確認又は設定変更又は情報端末装置に接続された端末機器への制御を前記ソフトウェア制御手段から行うステップとを備えた情報端末装置の設定方法。
【請求項１０】
ソフトウェア制御手段で設定変更した情報を、情報処理サーバ装置に記録するステップと、記録情報によりユーザーの情報端末装置に対し通信情報を生成するステップと、情報端末装置へ前記通信情報を送信し、設定確認又は設定変更又は端末機器への制御を行うステップを備えた請求項９に記載の情報端末装置の設定方法。
【請求項１１】
請求項１〜４のいずれか１項記載の情報端末装置の手段の全て、もしくは一部としてコンピュータを機能させるためのプログラム。
【発明の詳細な説明】
【０００１】
【発明の属する技術分野】
本発明は、ガス、電気、水道などの保安監視システムやセンシング情報又は機器制御を行うシステムで用いられる情報端末装置、情報サービスシステム、設定方法及びプログラムに関するものである。
【０００２】
【従来の技術】
ガスメータの保守管理を行うシステムは、集中監視システム、または自動検針システムと呼ばれ導入が進んでおり、ノーリンリンギング回線を利用し、前記回線で着信可能なＴＮＣＵと呼ばれるモデム装置を利用し、ガスメータと電話回線を結び、ガス業者の集中監視センターよりガスメータを遠隔制御、または自動検針できるようにしたものである。またＴＮＣＵと、ガスメータの接続を有線ではなく、無線端末を利用し接続するようにしたものもあり導入が進んでいる。
【０００３】
また近年、ガス等の生活機器の保守管理に関する情報を家庭内に報知するようにしたシステムが存在する。このようなシステムは、情報端末装置を各ユーザの宅内に設置し、ガスメータから受信した検針情報に加えて、ガス漏れ等の異常情報を、宅内の情報端末装置によってユーザに報知すると共にインターネット回線網等を通じて情報管理サーバ装置に移送することにより、これに対応した保守管理サービス情報を受信するようにしたものである。
【０００４】
また、このような機器利用の促進を図るため、前記情報端末装置を利用して様々なサービス提供が行われてきている。
【０００５】
これら付随するサービスとしては、例えば、ガスメータ等の保守管理サービスに加え、家の警備等を行うセキュリティサービス、或いは、ガス料金の通知や各種生活関連の情報、たとえば料理に関するレシピ等のコンテンツ情報を情報端末装置の画面等に報知するコンテンツサービスなどがある。そしてこれらの各種情報は情報端末装置にダウンロードされ、ユーザによって利用される。
【０００６】
【発明が解決しようとする課題】
ところが、情報端末装置を設置しガスの保安監視を行うサービスを提供する場合、初期設定時または運用期間中に不具合を生じた時の再設定時において、情報端末装置、無線端末、ガスメータなどに通信に必要な端末ＩＤなどの情報をキー操作などによって設定する必要があるが、情報端末装置は、少数のキー入力手段しかなく、非常に操作性が悪いものである為、複数ある沢山の機器の設定を再び行う作業は面倒なものであった。またガスメータの保守設定は、サービス業者の保守員のみが行える操作にする必要があるため、設定を行う者が保守員であることを認証する必要があるが、この場合でも認証する為のＩＤ、パスワードなどを入力する必要などが生じ作業性の悪いものであった。さらに情報端末装置は、宅内に設置する装置で、ユーザーが操作することが多いため、ユーザーが使用しない保守設定機能をユーザーに操作させないようし、誤操作等が起こらないようにする必要がある。また情報端末装置を、何台も設置する作業の場合は、予め設定すべきＩＤ等を個々に確認し入力する作業であり、非常煩雑でありたいへんな作業であった。
【０００７】
また、情報端末装置はユーザーに利用されるコンテンツ情報を提供するが、情報端末装置の制約された入力手段、表示手段では利用しにくい場合があり他の機器では利用できないなどの課題があった。
【０００８】
【課題を解決するための手段】
そこで本発明は、このような課題を解決するために、保安監視、機器制御等を行う情報端末装置に、記録媒体の挿入するインターフェイス部を設け、記録媒体に保安監視を行う端末機器、情報端末装置などの設定情報又は保守設定を行うための認証情報を記録媒体に保持できるようにすることで、システムで再設定が必要な時、又はサービスを他の機器上で利用したい時に、記録媒体に保持された設定情報又は認証情報を利用できるようにすることで、設定情報又は認証情報の入力を簡略化すると共に、作業の効率化を図るようにしたものである。そして保安監視を行うシステムの保守性、安定性を向上するものである。
【０００９】
ここで、情報端末装置で利用できるサービスとは例えば、地域に関する情報や、料理のレシピ情報、商品の販売情報、ガス料金情報などユーザに役立つ様々な情報提供サービスや、侵入検知センサ、緊急コール、ガス漏れ警報機、火災警報機などのセキュリティ情報、保安監視センサからの異常検知情報を管理サービス会社へ通報したり、ユーザーの携帯電話に通報するセキュリティサービスや、携帯電話やパソコンなどで遠隔地より情報端末装置に接続された機器、たとえば洗濯機、エアコン、給湯器、電子レンジ、冷蔵庫、炊飯器などの家電機器に対して制御を行ったり、家電機器の状態を閲覧したり、家電機器に対応した情報をダウンロードするサービスや、ガス、電気、水道などのエネルギー媒体の供給の安全を監視し、使用量を計測し遠隔地で検針する保安監視サービスなどである。
【００１０】
このようにすることで、記録媒体に認証情報や設定情報を記録しているので、情報端末装置の少ない入力手段によって認証情報や設定情報を入力する作業を削減し作業を効率的にできるようになり、保安監視サービスなどの保守性が向上する。またユーザーがサービス利用するときのユーザー認証情報を、記録媒体に記録し他の機器で認証確認できるようにすることで、情報端末装置では入力手段が乏しい為に利用しにくいコンテンツなどを利用できるようになり利便性が向上する。またユーザー認証情報を覚える必要がない為、誰にでも簡単に利用できるサービスシステムを提供できるようになる。
【００１１】
【発明の実施の形態】
請求項１の発明は、ガス、電気、水道などのエネルギー供給に関する情報又はセンシング情報又は機器への制御情報などを処理する情報処理部と、情報を保持・記憶する為の情報記憶部と、通信回線を介して情報処理サーバ装置との間で通信する送受信部とを備えた情報端末装置であって、前記情報端末装置への設定情報または認証情報を記録する記録媒体を接続するインターフェイス部を備えた情報端末装置を構成したものである。
【００１２】
この構成によれば、情報端末装置に記録媒体を接続するインターフェイス部を備えるので記録媒体に保守設定後のシステムの設定情報をバックアップしたり、所定の認証情報、設定情報を入れた記録媒体を準備しておき挿入することで保守設定操作を簡単にすることができるようになる。また認証情報を記録媒体に記録することで、情報端末装置の備える表示部、操作部では使用しづらいサービスも他の機器で前記認証情報を読み出し利用できるようにすることで、サービス性を向上するようになる。
【００１３】
請求項２の発明は、情報端末装置は、少なくとも１つ以上の端末機器と通信する機能を備え、前記端末機器へ設定したＩＤ情報又は通信条件又は動作条件などの設定情報をインターフェイス部に接続した記録媒体に記録する記録媒体情報処理部を備えた情報端末装置を構成したものである。
【００１４】
この構成によれば、情報端末装置はガスメータや、センサ機器、家電機器などの少なくとも１つ以上の機器と通信する機能を持つと共にその接続された通信機器に対しての設定情報を記録媒体に記録できるようになるので、前記設定情報を記録した記録媒体を保持させることで、情報端末装置内の情報が破損した時や、再設定が必要になった時、または新しい情報端末装置と交換する必要が生じた時などは、すぐに利用している機器構成の環境での設定を復元できるようになり保守性、サービス性、利便性が向上する。またガスなどの保安監視サービスを利用する場合において、保安監視システムがダウンしても設定をすぐに復元できるので、保安監視の安全性を向上できる。
【００１５】
請求項３の発明は、ガス、電気、水道などのエネルギー供給に関する端末機器への少なくとも一部の設定情報を暗号化して記録媒体に記録する情報端末装置を構成したものである。
【００１６】
この構成によれば、設定情報を暗号化するので、ガス、電気、水道などの保安監視サービスに関わる設定情報を、他の情報機器で閲覧して変更できないようにできるので、保安監視サービスなどのサービスの安全性を維持しつつ、設定情報を保管し利用できる利便性を提供できるようになる。
【００１７】
請求項４の発明は、情報端末装置及び通信される端末機器への設定情報は、記録媒体に書き込み又は読み出しが行われると、情報処理サーバ装置に対して、前記設定情報を記録媒体へ保存したことまたは記録媒体の設定情報を読み出しを通報する情報端末装置を構成したものである。
【００１８】
この構成によれば、記録媒体への設定情報の書き込み、記録媒体からの設定情報の読み出し及び設定を行った場合、情報処理サーバ装置へ、どのような設定処理が行われたかを通報処理することで、情報端末装置で利用できるサービスの状態と、ユーザーに提供するサービスを管理する情報処理サーバ装置の管理情報を同期できる為、サービス性が向上する。
【００１９】
請求項５の発明は、ガス、電気、水道などのエネルギー供給に関する情報又はセンシング情報又は機器への制御情報などを処理する情報処理部と、情報を保持・記憶する為の情報記憶部と、通信回線を介して通信する送受信部と、設定情報または認証情報を記録する記録媒体を接続するインターフェイス部を備え、前記設定情報が記録媒体に書き込み又は読み出しが行われると、前記設定情報を記録媒体へ保存したこと又は記録媒体の設定情報を読み出しことを通報する情報サービスシステムを構成したものである。
【００２０】
この構成によれば、記録媒体への設定情報の書き込み、記録媒体からの設定情報の読み出し及び設定を行った場合、情報処理サーバ装置へどのような設定処理が行われたかを通報処理することで、情報端末装置で利用できるサービスの状態と、ユーザーに提供するサービスを管理する情報処理サーバ装置の管理情報を同期できる為、サービス性が向上すると共に設定情報の管理が確実に行えるので、サービスの安全性が維持できるようになる。
【００２１】
請求項６の発明は、ガス、電気、水道などのエネルギー供給に関する情報又はセンシング情報又は機器への制御情報などを処理する情報処理部と、情報を保持・記憶する為の情報記憶部と、通信回線を介して通信する送受信部と、設定情報又は認証情報を記録する記録媒体を接続するインターフェイス部を備え、記録媒体にユーザーの認証情報を記録し、前記記録媒体を広域通信網に接続された機器上で動作するソフトウェア制御手段によって前記記録媒体に記録された認証情報を読み出し、ユーザー認証処理を行い、設定確認又は設定変更又は情報端末装置に接続された端末機器への制御を行う情報サービスシステムを構成したものである。
【００２２】
この構成によれば、情報端末装置が保持するユーザー認証情報を記録媒体に記録し、他の情報機器でも情報処理サーバ装置への認証を可能とすることで、情報端末装置のハード的な制約条件などで利用できないサービスや、利便性の悪いサービスを、パソコンなどの他の機器で動作するブラウザなどのソフトウェアで利用できるようになりユーザーに対する利便性を向上する。また、情報端末装置に主として提供する必要のない機能を他の情報機器で補間できるようになり、サービス性が向上する。また情報機器であるパソコン、携帯電話などに、記録媒体を接続しユーザー認証を行い、機器制御、設定変更などのサービスを提供できるようになり、情報端末装置が設置された場所以外でも、認証情報を入力することなく利用できるようになるので利便性が向上する。
【００２３】
請求項７の発明は、ソフトウェア制御手段で設定変更又は端末機器への制御などを行った情報は、情報処理サーバ装置に記録され、記録された情報によりユーザーの情報端末装置に対し通信情報を生成・送信し、設定変更または制御を行う情報サービスシステムを構成したものである。
【００２４】
この構成によれば、記録媒体に記録されたユーザー認証情報で認証した後、情報処理サーバ装置が提供するサービス情報をパソコンなどの他の機器のソフトウェアで閲覧し操作し、設定を変更することで自宅の情報端末装置に接続される機器に対し設定電文、制御電文を送信するので、記録媒体があれば情報端末装置以外からでも設定ができるようになるので、さらにサービスの利便性が向上する。
【００２５】
請求項８の発明は、情報端末装置又は通信される端末機器の設定情報を情報記憶部に記録するステップと、前記設定情報を記録媒体へ書き込み又は記録媒体から情報記憶部へ読み出しを行うステップと、情報端末装置と通信する情報処理サーバ装置に対して設定情報を記録媒体へ保存したこと又は記録媒体の設定情報を読み出し情報端末装置に設定したことを通報するステップを備えた情報端末装置の設定方法である。
【００２６】
この方法によれば、情報端末装置に記録媒体を接続するインターフェイス部を備えるので、記録媒体に保守設定を行う操作への認証情報、設定情報を記録したものを準備し、情報端末装置のユーザー宅設置時において、前記記録媒体を情報端末装置に挿入して認証情報、設定情報を読み込ませることにより、非常に作業効率の悪い設定情報の入力作業をなくすことができるようになり、ガス、電気、水道などの保安監視システムの設置工事の作業性が向上する。また、認証情報を記録した記録媒体を使用しないと、情報端末装置の設定作業ができないようにできるので、ユーザー操作によって誤操作される心配がなくなる。
【００２７】
請求項９の発明は、記録媒体にユーザーの認証情報を記録するステップと、前記記録媒体を広域通信網に接続された機器上で動作するソフトウェア制御手段によって前記記録媒体に記録された認証情報を読み出し、ユーザー認証処理を行うステップと、設定確認又は設定変更又は情報端末装置に接続された端末機器への制御を前記ソフトウェア制御手段から行うステップとを備えた情報端末装置の設定方法である。
【００２８】
この方法によれば、情報端末装置が保持するユーザー認証情報を記録媒体に記録し、他の情報機器でも情報処理サーバ装置への認証を可能とすることで、情報端末装置のハード的な制約条件などで利用できないサービスや、利便性の悪いサービスを、パソコン上で利用できるようになりユーザーに対する利便性を向上する。また、情報端末装置に主として保有することが必要のない機能を他の情報機器で補間できるようになり、サービス性が向上する。また情報機器であるパソコン、携帯電話などに、記録媒体を接続しユーザー認証を行い、機器制御、設定変更などのサービスを提供できるようになり、情報端末装置が設置された場所以外でも、認証情報を入力することなく利用できるようになるので、利便性が向上する。
【００２９】
請求項１０の発明は、ソフトウェア制御手段で設定変更した情報を、情報処理サーバ装置に記録するステップと、記録情報によりユーザーの情報端末装置に対し通信情報を生成するステップと、情報端末装置へ前記通信情報を送信し、設定確認又は設定変更又は端末機器への制御を行うステップを備えた請求項９に記載の情報端末装置の設定方法である。
【００３０】
この方法によれば、記録媒体に記録されたユーザー認証情報で認証した後、情報処理サーバ装置が提供するサービス情報をパソコンなどの他の機器のソフトウェアで閲覧し操作し、設定を変更することで、自宅の情報端末装置に接続される機器に対し設定電文、制御電文を送信するので、記録媒体があれば情報端末装置以外からでも設定ができるようになるので、さらにサービスの利便性が向上する。
【００３１】
請求項１１の発明は、請求項１〜４のいずれか１項記載の情報端末装置の手段の全て、もしくは一部としてコンピュータを機能させるためのプログラムとして構成したものである。
【００３２】
この構成によれば、プログラムとすることで、マイクロコンピュータ、パーソナルコンピュータ又は他の装置の一部の機能として実現できるようになり、利便性、汎用性が向上し、システムが構築しやすくなる。また記録媒体に記録したり通信回線を用いてプログラムを配信したりすることでプログラムの配布やインストール作業が簡単にできる。
【００３３】
【実施例】
以下本発明の実施例を図を参照しながら説明する。
【００３４】
（実施例１）
図１に示す本システムは、家庭内に設置される情報端末装置２に、メータ１やセンサ４などと通信する機能を持たせ、検針情報、異常情報を情報端末装置２を介して、サービス業者の情報処理サーバ装置３と通信し、保安監視サービスや情報サービスを行うようにしている。情報処理サーバ装置３と、ガス業者集中監視センター８は通信回線で接続され検針情報、ガス異常情報、または無線通信で接続される機器制御情報、機器状態情報等を通信する。
【００３５】
また情報端末装置２は、情報処理サーバ装置３よりコンテンツ情報や、情報端末装置２への設定情報などをダウンロードする機能を持ち、ダウンロードした情報を情報端末装置２でユーザが利用できるコンテンツ情報に加工、記憶して、情報サービスを行うと共に、ガス異常などの各種異常情報を情報端末装置２に表示したり、情報処理サーバ装置１へ通報処理する機能を備えている。さらに、情報端末装置２は、定期的に、指定日時に情報処理サーバ装置３より、コンテンツ情報や、設定情報をダウンロードする機能を備える。
【００３６】
設定情報とは、情報端末に設定する情報、たとえばコンテンツをダウンロードする日時、コンテンツを利用するときに接続するＩＳＰ（インターネットサービスプロバイダ）の電話番号、ＩＤ、パスワード、ＤＮＳ（ドメインネームシステム）サーバのＩＰアドレスまたは利用するコンテンツサービスのアプリケーションサーバのＵＲＩ（Ｕｎｉｆｏｒｍ　Ｒｅｓｏｕｒｃｅ　Ｉｄｅｎｔｉｆｉｅｒ）やＩＤ、パスワードなどである。また情報端末装置２に接続される機器が何であるかを示す情報、ＩＤ情報、無線通信の場合の無線チャンネルや間欠受信間隔や送信時間などの通信条件、異常を検知した時の発呼先、情報端末装置の動作を規定する動作条件などが挙げられる。またガス、電気、水道などのエネルギー供給を管理する機器への異常情報ごとの発呼有無や、報知内容を規定する制御設定情報などである。エネルギー供給の安全を監視する為、情報端末装置２が故障したり、新製品に交換する場合においても迅速かつ確実にシステムの設定を復元する必要があり、他のシステム設定情報などと共に記録媒体に記録されバックアップされるものである。
【００３７】
さらに情報端末装置２と無線装置５ａ間で無線通信を行う無線装置５ａを接続し、無線通信により情報端末装置２を介して電話回線に接続される。電話回線を利用してインターネット網を介して検針値や、ガス異常情報を通信するシステムを構成している。また本システムは、宅内などに設置される端末機器である、ガスメータ、電力メータ、水道メータなどのエネルギー供給の安全監視を行うメータ１、留守中の侵入者を検知する侵入センサ、または人感センサ、火災センサ、ガス漏れセンサ、ＣＯセンサなどのセンサ４、洗濯機、炊飯器、電子レンジ、冷蔵庫、エアコン、給湯器、掃除機などの機器９と無線によって通信を行いセンシング情報、制御情報、状態情報を通信する機能を有する。そして情報端末装置２に、メモリカードなどの記録媒体を接続するインターフェイス部を備え、情報端末装置に保持する認証情報をメモリカードに保存し、前記メモリカードを他の情報機器に接続し、情報処理サーバ装置３にアクセス認証し、自宅の機器の状態を確認したり、制御できる機能を備えるものである。
【００３８】
このため、本システムにおいては、メータ１や情報端末装置２、情報処理サーバ装置３などによって以下のようにシステムを構築している。
【００３９】
メータ１、センサ４、機器９と情報端末装置２の間を無線伝送路によって接続するとともに、情報端末装置２と情報処理サーバ装置３などの間を、情報通信回線網によって接続可能にする。そしてこの情報端末装置２に、電子注文するための商品情報や、ユーザに対するメール情報、広告情報、料理のレシピ等のコンテンツ情報を表示させるとともに、メータ１やセンサ４側から送信されてきた異常情報、例えば、ガス漏れ等を警告するためのガス保安情報や、その家屋への侵入者を知らせるためのセキュリティ情報などを表示させる機能、そして機器９の動作ＯＮ／ＯＦＦや運転状態を表示する機能を持たせている。
【００４０】
メータ１は、家庭毎、もしくは集合住宅等に設置されるもので、ガス漏れ等の異常情報や、検針情報を情報端末装置２に出力する機能を有するものである。具体的に説明すると、図示はしないが内部にガス開閉用弁の付帯したガス管、ガス開閉弁用のアクチュエータ、ガス自動遮断機構、自動検針機構を少なくとも備える。ガス自動遮断機構は、ガス漏れ等の異常を検知した場合に、自動的にガス開閉用弁を閉止する機能アルゴリズムを備えるものであり、自動検針機構は、内部のガス管を流れるガスの流量を計測し、これを電気的なデータに変換して出力し検針することができるものである。そして、少なくとも自動検針情報の送出や、ガス漏れ時の異常発呼の処理を行うために、当該メータ１は図２に示すようにＣＰＵ１ａやメモリ１ｂ、ガスの供給圧力を監視する圧力センサ、地震を検知する感震センサなどのセンサ１ｃや無線装置１ｄなどの必要なハードリソースを備えている。無線装置１ｄは、次に述べる情報端末装置２の無線装置２ｅとの間でワイヤレスで通信可能な有効伝送距離内に設置されているものである。なお無線装置１ｄは、図示はしないが、メータ１と別々に設けて構成してもよい。
【００４１】
情報端末装置２は、家庭内（好ましくは台所付近）に設置されるもので、コンテンツ情報、異常情報等、機器の運転情報・センシング情報等を受信し、情報端末装置２を経由して通信される機器への設定を、他の情報機器からでも可能にする機能を備える。そのため情報端末装置２は情報処理サーバ装置３にアクセスしアプリケーション利用する時の認証情報を、インターフェイス部（メモリスロット）に記録媒体（メモリカード）を接続して、前記認証情報を読み出し記録し、他の情報機器でも利用できる機能を備えるようにしたものである。このため、情報端末装置２は、図２に示すようにＣＰＵ２ａ、メモリ２ｂ、ｆｌａｓｈＲＯＭ（Ｒｅａｄ　Ｏｎｌｙ　Ｍｅｍｏｒｙ）、ＲＯＭ、ＨＤＤ（Ｈａｒｄ　Ｄｉｓｋ　Ｄｒｉｖｅ）などの外部記憶装置２ｄの他に、ディスプレイ２ｃやボタン、タッチパネル等のユーザインターフェースで入力装置２ｆ、無線装置２ｅ、モデムやイーサネット（登録商標）などの通信インターフェース２ｇなどのハードリソースを具備し、これらを協働させて、図３に示すような送受信部３００、ダウンロード処理３０１、情報記憶部３０２、第２の情報記憶部３０３、コンテンツ情報処理部３０４、認証情報処理部３０５、表示部３０６、設定情報処理部３０７、インターフェイス部３０８、記録媒体情報処理部３０９、無線通信部３１０、操作部３１１、異常情報処理部３１２を機能させている。
【００４２】
送受信部３００は、当該情報端末装置２をインターネット網若しくは電話回線網などの外部への通信網に接続して、図４に示すように、情報処理サーバ装置３やとの間でデータ送受信可能な状態を実現する。具体的には、図３において送受信部３００は、ＮＣＵ（ネットワークコントロールユニット）６ａを介してＩＳＰ（インターネットサービスプロバイダ）７にダイヤルアップ接続（ＰＰＰ（Ｐｏｉｎｔ　ｔｏ　Ｐｏｉｎｔ　Ｐｒｏｔｏｃｏｌ）接続）し、そこからインターネット網を通じて情報処理サーバ装置３にＴＣＰ／ＩＰ接続することができるものであり、また、電話回線網を介して直接に情報処理サーバ装置３に接続されたＮＣＵ６ｂにダイヤルアップ接続することもできるものである。
【００４３】
ダウンロード処理部３０１は、インターネット網もしくは電話回線の直接接続を介し、ＴＣＰ／ＩＰ接続によって情報処理サーバ装置３より送信されるコンテンツ情報、設定情報を受信処理する機能を提供している。ダウンロード処理部３０１は、時刻情報をもとに予め情報端末装置２に設定された時刻になるとダウンロード情報要求電文を情報処理サーバ装置３へ送信し、アプリケーションサービスを利用するユーザＩＤ、パスワードを認証した後、ユーザ毎に更新されたコンテンツ情報、設定情報をダウンロード処理し、情報記憶部３０２に一時記憶する。
【００４４】
情報記憶部３０２は、メモリ２ｂで構成される。前述したようにダウンロード処理された情報を一時的に記憶したり、情報端末装置２で実行処理されるプログラム、プロセスを展開する作業領域として使用されるものである。情報記憶部３０２上に展開されたプロセス等はその処理を停止した場合、その処理に動的に割り当てられメモリ空間を開放し、別のプロセスが次に起動された時使用できるようになる。また、電池などでバックアップされるメモリ（たとえばＳＲＡＭ）には、認証情報であるユーザーＩＤ、パスワードや、端末固有に保持される端末ＩＤや、情報端末装置２と無線通信する機器の機器ＩＤ等が記憶され保持される。また認証情報は情報端末装置２と情報処理サーバ装置３で互いに保持する鍵情報などであってもよい。さらに個人を識別する情報であればどのような情報であってもよい。
【００４５】
前記情報は、ＥＥＰＲＯＭや他の書き換え可能なＲＯＭデバイスに記録することもできる。
【００４６】
第２の情報記憶部３０３は、ＦｌａｓｈＲＯＭなどの外部記憶装置２ｄで構成される。情報記憶部３０２にダウンロード処理部３０１によって一時記憶されたコンテンツ情報、設定情報などを、ユーザが利用できるように加工処理し、電源が万一切れた場合でも保持されるように第２の情報記憶部３０３に記録保持する。
【００４７】
コンテンツ情報処理部３０４は、ユーザの操作部３１１によって第２の情報記憶部３０３や情報記憶部３０２よりコンテンツ情報を取り出し、ユーザが利用できるように処理し、表示部３０６で情報表示を行う。コンテンツ情報は、緊急ボタンの押下による報知や、レシピ情報の表示、電子注文可能なショッピングメニュー表示、またサービス業者が情報処理サーバー装置３を介してユーザに提供する広告情報、電子メール、新着情報などの情報サービス、または通信される機器の運転状態、センシング情報を表示する機能を提供する。
【００４８】
認証情報処理部３０５は、情報端末装置２の設置時に情報処理サーバ装置３よりダウンロードされ、情報記憶部３０２または第２の情報記憶部３０３に記録されたユーザーＩＤ、パスワードを利用し、認証処理を行うものである。情報端末装置２が情報処理サーバ装置３へ接続し、アプリケーションサービスを受けようとする時、前記サーバ装置３より正規ユーザがアクセスして来たのかを確認する為、情報端末装置２にＩＤ、パスワードを要求する。そのとき、認証情報処理部３０５は、情報記憶部３０２よりユーザーＩＤ、パスワードを読み出し、サーバ装置３へ送信する。認証が確認されるとサービスの利用が可能となる。またこの時の認証にＩＤ、パスワードを提供し認証するものだが、場合に応じてパスワードを暗号化した情報を生成し、送信して認証させる機能も備える。前者の認証方法は、ＰＡＰ（Ｐａｓｓｗｏｒｄ　　Ａｕｔｈｅｎｔｉｃａｔｉｏｎ　Ｐｒｏｔｏｃｏｌ）、後者はＣＨＡＰ（Ｃｈａｌｌｅｎｇｅ　Ｈａｎｄｓｈａｋｅ　Ａｕｔｈｅｎｔｉｃａｔｉｏｎ　Ｐｒｏｔｏｃｏｌ）と呼ばれるものである。また読み出しした認証情報（ＩＤ、パスワード）は、記録媒体情報処理部３０９に渡され、インターフェイス部３０８を介してメモリカード３１３で書き込み処理される。本システムでのこれらの機能の詳細は後述する。
【００４９】
表示部３０６は、ディスプレイ２ｃで構成され、ユーザが利用するショッピングメニューや、広告情報、メータ１より報知されるガス異常情報や、センサ４より報知される侵入検知、ガス異常、緊急コールなどのセキュリティ異常情報、または機器９の運転情報、センシング情報などを表示し、ユーザへ情報提供する。また機器９への制御画面を提供し、情報端末装置２より無線通信によって機器９を制御する機能を備える。
【００５０】
設定情報処理部３０７は、情報端末装置２に設定処理されたアプリケーションサーバのＵＲＩ、ＩＳＰの電話番号、ＤＮＳサーバのＩＰアドレス、ＰＰＰ接続時のＩＤ、パスワードなどの設定情報を情報記憶部３０２または第２の情報記憶部より読み出したり、記録媒体情報処理部３０９に渡してメモリカードに記録させたりする。また設定情報として、情報端末装置２と通信する端末機器の種類、端末ＩＤなどをも同様に記憶しているものを読み出し、機器の制御画面や運転状態表示画面や、センサが報知してきた情報に対し設定情報を元に、画面に報知するしないの判断を行う。
【００５１】
インターフェイス部３０８は、記録媒体であるメモリカード３１３（ＳＤカード、スマートメディア、マルチメディアカード、ＣＦカードなど）を挿入するスロット型のコネクタ部である。メモリカード３１３は、インターフェイス部の通信端子に接続され、メモリカードに記録された情報を読み出し書き込みを行う。
【００５２】
記録媒体情報処理部３０９は、記録媒体であるメモリカード３１３と通信したデータを書き込みまたは読み出す処理を行うものである。情報記憶部３０２に保持される設定情報や認証情報も、記録媒体情報処理部３０９によってメモリカード３１３に記録され、他の情報機器でも利用できるようにするものである。
【００５３】
無線通信部３１０は無線装置２ｅを構成するものであり、前述したようにメータ１、センサ４、機器９の無線装置１ｄ、４ｄ、９ｄとセンサ１ｃ、４ｃ、９ｄが検知した異常情報または状態変化情報、運転情報等の通信処理を行うものである。またメータ１では、メータで計測する検針値も無線装置１ｄより無線装置２ｅへ通信処理される。
【００５４】
操作部３１１は、入力装置２ｆを構成するボタンやタッチパネル等を通じて所望の入力を可能にするもので、コンテンツの内容を取得するための操作や、緊急ボタンの押下などの操作を行えるようにしている。そして、コンテンツの内容を取得するための操作や、緊急ボタンの押下などが行われると、その操作に応じてディスプレイ２ｃを構成する表示部３０６にコンテンツの内容や異常を報知するための情報が出力される。また機器９に対する制御操作も行えるようにしている。たとえばエアコンの運転ＯＮ／ＯＦＦ、温度上げ下げなどである。
【００５５】
異常情報処理部３１２は、メータ１、センサ４のセンサ１ｃ、４ｃで検知した異常情報を無線装置１ｄ、４ｄにより無線発呼される。そして検知されたガス異常、家屋への侵入者などの検出する侵入検知情報、緊急コール情報、火災検知情報などの異常情報を表示部３０６に表示したり、送受信部３００、ＮＣＵ６ａ、インターネット網を介して保安監視サービスを行うサービス業者の情報処理サーバ装置３へ通報処理を行うものである。さらに機器９が故障やメンテナンスが必要になった時は、機器内で判断処理され情報端末装置２へ故障診断された旨を情報表示する。そして、所定のメンテナンス業者、修理業者などに通報処理される。
【００５６】
一方、情報処理サーバ装置３は、前記情報端末装置２から送信されてきた異常情報の種別を判断し、その異常情報に対する指示情報や、その異常情報の報知を終了させるための終了情報を送信するものである。そのため、図４に示すようにＣＰＵ３ａ、メモリ３ｂ、外部記憶装置３ｃ、通信インターフェース３ｄなどのハードリソースを具備し、これらを協働させて、図５に示す送受信部５０１、受信データ判断部５０２、ユーザ情報管理部５０３，ユーザ管理データベース５０４、送信データ作成部５０５、コンテンツ情報データベース５０６、設定入力部５０７を機能させる。
【００５７】
送受信部５０１は、インターネット回線網を介して情報端末装置２からＴＣＰ／ＩＰ接続があったときに情報端末装置２との間で送受信を行う状態、ＮＣＵ及び電話回線網を介して直接的なダイヤルアップ接続が確立したときに情報端末装置２との間で送受信を行う状態をとりうるものである。
【００５８】
受信データ判断部５０２は、情報端末装置２から受信するデータの種別をそのデータに付帯するデータ識別子によって判断する。本実施形態の受信データには、異常情報や検針情報、または情報端末装置２より認証情報を記録したメモリカードを利用した情報機器からの制御情報などが含まれる。具体的には、所定の記憶領域には、データ識別子とそれに対応する処理コマンドとの関係が対をなして格納されており、ユーザ情報管理部５０３は受信したデータのデータ識別子に対応する処理コマンドを取り出して実行する。例えば、ユーザ情報管理部５０３は、それが機器９への制御情報であるときには送信データ作成部５０５に受理応答の送信データを作成させ、これを送受信部５０１からＮＣＵ６ｂ及び電話回線網やインターネット網を介して情報端末装置２に送信するとともに、必要に応じてユーザ情報管理データベース５０４に情報を蓄積する。そして、情報端末装置２へ送信された制御情報を解釈して所定の機器を制御しその応答を受信する。
【００５９】
また、受信したデータが検針情報であるときには、その検針値をユーザ情報管理データベース５０４に蓄積する。このほかに、ユーザ情報管理部５０３は、一定のイベント発生時に緊急遮断すべき旨を自発的に出力する機能も備えており、この緊急遮断の判断に基づいて送信データ作成部５０５に緊急遮断命令を作成させ、これを送受信部５０１からＮＣＵ及び電話回線網を介して情報端末装置２に送信する。
【００６０】
送信データ作成部５０５は、メモリ３ｂや外部記憶装置３ｃ等の適宜の記憶領域にデータ作成プログラムを有しているもので、予め定めた処理コマンドが実行されると、ＣＰＵ３ａがこれを開始条件として前記記憶領域からデータ作成プログラムを読み出し、このプログラムに従って情報端末装置２に対して送信すべき情報を作成する。
【００６１】
コンテンツ情報データベース５０６は、情報端末装置２からの要求に応じてコンテンツ情報を送信する機能を有するものである。
【００６２】
受信データ判断部５０２は、情報端末装置２から受信するデータの種別をそのデータに付帯するデータ識別子に基づいて判断する。本実施形態の受信データは、ユーザが随意に行うコンテンツ活用操作に基づいて送られてくるコンテンツ要求データが含まれる。
【００６３】
情報端末装置２から送信されたコンテンツ要求信号に応じて、ユーザ情報管理部５０３は、それが商品購入情報であるときには送信データ作成部５０５に注文受理応答の送信データを作成させ、これを送受信部５０１からＮＣＵ６ｂ及び電話回線網やインターネット網を介して情報端末装置２に送信するとともに、必要に応じてユーザ情報管理データベース５０４に情報を蓄積する。
【００６４】
コンテンツ情報データベース５０６には、情報端末装置の表示部３０６で報知させる画像情報、メータ設定情報、サービス情報（レシピ、商品情報、ニュース、広告、お知らせ情報）などのコンテンツデータが格納されており、適宜更新されていくものである。また情報端末装置２よりのダウンロード要求を送受信部５０１で受信処理し、受信データ判断部５０２により、そのデータに付帯するデータ識別子に基づいて判断すると、送信されてくるユーザが使用しているコンテンツ情報と、現在提供できるコンテンツ情報をコンテンツ情報データベース５０６の管理情報を比較し、ユーザに必要なコンテンツを差分収集し、送信するコンテンツ情報、設定情報を送信データ作成部５０５で作成する。これを送受信部５０１からＮＣＵ６ｂ及び電話回線網やインターネット網を介して情報端末装置２に送信するとともに、必要に応じてユーザ情報管理データベース５０４に情報を蓄積する。
【００６５】
設定入力部５０７は、情報処理サーバ装置３のコンテンツ情報データベース５０５に、ユーザごとに設定されるメータ１、情報端末装置２、センサ４、機器９などへの設定情報を入力するものである。設定入力部５０７は、キーボード、マウス、タッチパネルのような入力デバイスで構成される。ガス業者の運用管理者が、ユーザのメータ１の検針日時等の設定を変更する場合、設定入力部５０７によって変更する日時情報を、変更したいユーザの項目へ入力する。入力された情報は、コンテンツ情報データベース５０５へ登録される。そして、情報端末装置２が情報処理サーバ装置３にコンテンツ情報をダウンロードするタイミングで、前記の変更設定情報より設定情報ファイルを少なくとも１つ以上生成し、インターネット網を介して情報端末装置２にダウンロードさせる。
【００６６】
以下本システムの動作・作用について説明する。
【００６７】
まず、図６は情報端末装置２にメモリカードを挿入接続し、情報端末装置２に保持するアプリケーションサービスの認証情報をメモリカードに記録し、前記メモリカードを他の情報機器へ接続し、ユーザー−宅内の機器への制御や設定変更を行う操作を模式的に示す図である。
【００６８】
情報端末装置２は、情報端末装置２の設置設定時に設定されたアプリケーションサービスを利用するユーザーＩＤ、パスワードを本体内部のメモリ（情報記憶部３０２または第２の情報記憶部３０３）に保持している。この情報は、ユーザーが関与するものではなく、情報処理サーバ装置３により自動で付与されるとともに、情報端末装置２に記録され管理される。そしてユーザーが情報端末装置２を操作し、商品購入サービス、レシピ情報の閲覧などを利用する場合、情報処理サーバ装置３との通信開始時に正規のユーザーであることを確認する為にやりとりされる。そしてユーザーが、出先でＰＤＡを利用して情報端末装置２に接続されたエアコン６０３を操作して、自宅に帰る前にエアコンを起動しておきたいと思う時に対応する為に次に説明する機能を備える。情報端末装置２は、メモリスロット（インターフェイス部３０８）を備え、メモリカード３１３を挿入することで、内部の認証情報をメモリカードに記録できる。この時、情報端末装置２の表示部３０６を確認し、認証情報をメモリカード３１３に書き込む旨の内容説明が表示され、「確認」キーなどの押下処理によって認証情報の書き込みが開始される。この時、セキュリティ上問題な為、認証情報の書き込み処理を行うメモリカードの作成には制限を持たせたりすることもできる。またＩＤ、パスワードの内容が複製されたり、内容が解読されないように、前記ＩＤ、パスワード情報を暗号化して記録するようにすることも可能であり、セキュリティ性が向上する。暗号化する手法として、インターネット上のセキュア通信で用いられるハッシュ関数を用いる方法でもよい。ハッシュ関数は、与えられた原文から固定長の疑似乱数を生成する演算手法であり、通信を行う両端でデータのハッシュ値を求めて両者を比較すれば、データが通信途中で改ざんされていないか調べることができるものである。不可逆な一方向関数を含むため、ハッシュ値から原文を再現することはできないものであり、この関数には、ＭＤ５、ＳＨＡ−１などがある。
【００６９】
図７に、ＰＤＡのＷＥＢブラウザに表示したユーザー専用のエアコンコントロール画面を示す。認証情報（ＩＤ、パスワード）を記録したメモリカードを、移動時でも利用できる情報機器ＰＤＡ（Ｐｅｒｓｏｎａｌ　Ｄｉｇｉｔａｌ　Ａｓｓｉｓｔａｎｔｓ）６０１に挿入すると、無線通信機能（無線ＬＡＮ、ＰＨＳ、Ｂｌｕｅｔｏｏｔｈ）などによってインターネット接続し、アプリケーションサービスを提供するＵＲＩに対して接続を行い、その表示画面上から宅内の情報端末装置２に接続された機器９の遠隔制御、状態表示、設定変更等を行うものである。
【００７０】
図８に、本システムの動作の簡易的なフローチャートを示し、動作、作用の説明を行う。
【００７１】
まず、ユーザーは情報端末装置２の表示画面等を操作し、前記情報端末装置２のメモリに記録された情報処理サーバ装置３を利用する為の認証情報（ＩＤ、パスワード）を、インターフェイス部３０８に接続したメモリカード３１３に記録するように操作する。この時前記認証情報は、ユーザーがパソコン等で閲覧しても内容が分からないように暗号化処理され記録される
（ステップＳ８０１）。
【００７２】
次にユーザーは、前記記録媒体であるメモリカード３１３を情報端末装置より取り出す。そして、前記メモリカードのスロットインターフェイスを備える別の情報機器であるパソコン、携帯電話またはＰＤＡなどを操作しインターネットに接続する。図６、図７ではＰＤＡ６０１で操作する例を示す。この時インターネットに接続する媒体は何でもよく、有線通信であっても、無線通信であっても構わない（ステップＳ８０２）。
【００７３】
ユーザーは、インターネットに接続した後、サービス業者がユーザーに対し情報処理サーバ装置３によって提供するホームページにアクセスし、ＨＴＭＬ、ｊａｖａｓｃｒｉｐｔ、ｊａｖａなどを利用して作成したホームページをブラウザで閲覧し、ユーザー認証入力を要求する画面を表示する（ステップＳ８０３）。
【００７４】
そしてユーザーは、ＰＤＡ６０１前記情報機器をメモリカード３１３を挿入、接続する。挿入接続されると、ＰＤＡ６０１は前記メモリカード３１３に記録された認証情報を読み出し、インターネッを介して情報処理サーバ装置３へ、認証情報を送信する。前記認証情報を受信した情報処理サーバ３は、図５のユーザー情報管理部５０３によりユーザー情報データベースを参照し、前記認証情報が正規のユーザーからのアクセスであるかを判定する。認証がＯＫであると、認証完了情報をＰＤＡ６０１に応答する（ステップＳ８０４）。
【００７５】
ユーザー認証完了すると、情報処理サーバ装置３が備えるＣＧＩ（Ｃｏｍｍｏｎ　Ｇａｔｅｗａｙ　Ｉｎｔｅｒｆａｃｅ）プログラムを起動し、ユーザー情報データベースが管理する、ユーザーが利用するサービス、情報端末装置２に接続された機器の情報、現在の情報処理端末装置の設定情報などを元に、ユーザー専用の設定変更ページ、制御メニューページを表示する。図７ＰＤＡ６０１は、ユーザー宅に設置されたエアコン６０２の制御メニュー画面７０１を表示している。この画面は、一例であり、図示はしないが他の機器に対する制御メニュー、また機器の設定変更メニュー、機器の運転状態メニューなども表示する機能を備えるものである。そしてタッチパネルで構成されたＰＤＡ６０１の画面を操作し、運転ボタン「ＯＮ」を押下し、設定温度ボタン「▽」「△」を押下し設定温度を変更し、「設定」ボタンを表示画面上で押下する。そして、ＰＤＡ６０１より制御命令／設定変更の電文がインターネットを介して送信され、情報処理サーバ装置３で受信されるス（ステップＳ８０５）。情報処理サーバ装置３で、前記電文を受信すると、設定変更や制御命令があったことをユーザー情報データベース５０４に記録し、情報端末装置２へ送信する制御電文、設定変更電文を生成しする（ステップＳ８０６）。
【００７６】
そしてＮＣＵ６ｂよりＮＣＵ６ａを呼出し、接続し前記電文を情報処理端末装置２へ送信し、情報端末装置２によってエコーネットなどの無線プロトコルに変換し無線を介してエアコン６０２に制御命令を送信する。制御に対応する結果応答は、前記の逆経路で返信され応答される（ステップＳ８０７）。
【００７７】
この時の情報端末装置２への接続は、直接ＮＣＵ６ｂからＮＣＵ６ａに接続し、制御電文を送信する方法でなく、ＮＣＵ６ｂよりＮＣＵ６ａを呼出した後、情報端末装置２よりＩＳＰ７を経由し、インターネットを介して情報処理サーバ装置３で生成した制御電文を取りにくるようにしてもよい。図６において、ＩＳＰ７と情報処理サーバ装置３は直接接続されているように図示しているが、インターネットを介在して接続されている。また直接専用線などで接続されてもよい。
【００７８】
そして、前記制御命令を受信したエアコン６０２は、運転ＯＮされ、設定温度を変更して運転動作するものである（ステップＳ８０８）。
【００７９】
また本実施例では、エアコン６０２のコントロールをＰＤＡ６０１を利用する例を説明したが、対象とするエアコン以外の機器でもよく、ユーザー宅などに設置される家電機器、設備機器に対し制御できる。他の情報機器は、ＰＤＡでなくてもよく、パソコン、携帯電話、ゲーム機またはＳＴＢなどでもよい。またＰＤＡなどに接続された通信手段は、無線媒体を用いて説明したが、優先の手段であってよくモデム、イーサネット（商標）を用いてもよい。さらに無線媒体は、無線ＬＡＮ、Ｂｌｕｅｔｏｏｔｈ、ＰＨＳ、携帯電話、エコーネット等、サービス業者の情報処理サーバ装置３に接続できるものであれば何でもよい。
【００８０】
（実施例２）
本願発明の第２の実施例について、図９のフローチャートを用いて説明を行う。本実施例において、同一の処理内容ステップについては説明を省略する。本実施例が前記実施例と異なるのは、情報端末装置２が、認証情報ではなく、設定情報を扱うと共に記録媒体に書き込みすると、所定のタイミングで認証情報を記録媒体に書き込みを行ったことを情報処理サーバ装置３へ通報する点について異なるものである。
【００８１】
図９のフローチャートにその動作を簡易的に示す。
【００８２】
情報端末装置２は、情報端末装置２に接続されるメータ１、センサ４、機器９との通信条件、各端末のＩＤ情報、またはガス異常検知通報、セキュリティサービス、テレコンサービス、情報配信サービスなどのアプリケーションサービスの動作条件をユーザー宅設置時に第２の情報記憶部３０３や、電池でバックアップされた情報記憶部３０２などのメモリに記録保持する（ステップ９０１）。
【００８３】
この時のアプリケーションサービスの設定情報とは、セキュリティサービスでの、センサが異常検知してから判定時間、異常検知時の解除パスワード、接続されたセンサ４の端末ＩＤ、異常通報先情報、情報端末装置の動作などである。またガスメータ１や機器９などの端末ＩＤ情報などである。
【００８４】
ユーザーや保守員は情報端末装置２の表示画面等を操作し、前記情報端末装置２のメモリに記録された情報端末装置２に接続された機器の設定情報（端末ＩＤ、通信条件、動作条件など）を、インターフェイス部３０８に接続したメモリカード３１３に記録するように操作する。この時前記認設定情報は、パソコン等で閲覧しても内容が分からないように暗号化処理され記録されてもよい。また上記操作とは逆に、メモリカード３１３に記録された設定情報を、情報端末装置２の情報記憶部３０２に読み出し、情報端末装置２の設定情報を更新し、設定変更を行う（ステップ９０２）。
【００８５】
上記操作（メモリカード３１３への記録、またはメモリカード３１３から読み出し設定変更）が行われると情報端末装置２は、図３の設定情報処理部３０７によって処理され、メモリカード３１３への記録時は、記録した設定情報、日時を情報記憶部３０２などに保持し、コンテンツのダウンロード処理が定期的に行われるタイミングなどに情報処理サーバ装置３へ前記情報をインターネット経由で送信する。また設定情報を書き込んだメモリカード３１３を、インターフェイス部３０８に挿入、接続し記録媒体情報処理部３０９によって情報が読み出しされ、設定情報処理部３０７によって、情報端末装置２の設定を変更更新する時、その設定を行った時にＮＣＵ６ａによってＩＳＰ接続し、インターネットを介して送受信部３００によって、情報端末装置２に設定した設定情報を送信し、情報処理サーバ装置３に記録する（ステップＳ９０３）。
【００８６】
なお本実施例はいずれも情報端末装置の手段の全てもしくは一部として、コンピュータを機能させるためのプログラムとしても同様構成できるものである。
【００８７】
以上のように、情報端末装置に記録媒体を接続し、認証情報、設定情報を記録するインターフェイス部を備えることで、認証情報、設定情報を他の情報機器でも利用できるようになりユーザーの利便性、または情報端末装置のの設定を行う保守員のメンテナンス性、作業性が向上する。また、初期設置時において、保守設定の認証情報を記録した記録媒体を使用しないと、情報端末装置の設定作業ができないようにすることができるようになり、保守設定用の設定入力作業が削減できるようになり、保守員の利便性の向上がはかれる。
【００８８】
情報端末装置はガスメータや、センサ機器、家電機器などの少なくとも１つ以上の機器と通信する機能を持つと共にその接続された通信機器に対しての設定情報を記録媒体に記録できるようになるので、前記設定情報を記録した記録媒体を保管しておくことで、情報端末装置内の情報が破損した時や、再設定が必要になった時、または新しい情報端末装置と交換する必要が生じた時などは、すぐにユーザーが利用している機器構成での設定を復元できるようになり、サービス性、利便性が向上する。またガスなどの保安監視サービスを利用する場合において、保安監視システムがダウンしても設定をすぐに復元できるので、保安監視システムとしての品質、信頼性を向上できる。設定情報を暗号化するので、ガス、電気、水道などの保安監視サービスに関わる設定情報、及び認証情報などを、他の情報機器で閲覧して変更できないようにするので、保安監視サービスなどのサービスの安全性を維持しつつ、設定情報を保管できる利便性を提供できるようになる。また認証情報に関しても同様に、利便性を向上しつつセキュリティを維持できるようになる。
【００８９】
記録媒体への設定情報の書き込み、記録媒体からの設定情報の読み出し及び設定を行った場合、情報処理サーバ装置へ設定処理内容を通報処理することで、情報端末装置で利用できるサービスの状態と、ユーザーに提供するサービスを管理する情報処理サーバ装置の管理情報を同期できる為、サービスの品質を向上する。
【００９０】
情報端末装置が保持するユーザー認証情報を記録媒体に記録し、他の情報機器でも情報処理サーバ装置への認証を可能とすることで、情報端末装置のハード的な制約条件などで利用できないサービスや、利便性の悪いサービスを、パソコン上で利用できるようになりユーザーに対する利便性を向上する。また、情報端末装置に主として保有することが必要のない機能を他の情報機器で補間できるようになり、サービス性が向上する。また情報機器であるパソコン、携帯電話などで記録媒体を接続しユーザー認証を行い、前記情報機器のブラウザで閲覧するホームページより宅内機器の状態表示、機器制御、設定変更などのサービスを提供できるようになり、情報端末装置が設置された場所以外でも、認証情報を入力することなく利用でき利便性、操作性が向上するようになる。
【００９１】
記録媒体に記録されたユーザー認証情報で認証した後、情報処理サーバ装置が提供するホームページ上から設定変更などをすることで、自宅の情報端末装置に接続される機器に対し設定電文、制御電文を送信できるので、さらにシステムが提供するサービスの利便性が向上する。
【００９２】
またプログラムとすることで、マイクロコンピュータ、パーソナルコンピュータ又は他の装置の一部の機能として実現できるようになり、利便性、汎用性が向上し、システムが構築しやすくなる。また記録媒体に記録したり通信回線を用いてプログラムを配信したりすることでプログラムの配布やインストール作業が簡単にできる。
【００９３】
なお、各部の具体的な構成は、上述した実施形態のみに限定されるものではなく、本発明の趣旨を逸脱しない範囲で種々変形が可能である。例えば、上記実施形態はガス機器に関するものであったが、電気、水道などを始めとする他の生活関連インフラ整備に関して使用される情報端末装置及び周辺機器からなるシステムの構築の際にも同様に適用が可能なものである。
【００９４】
なお、図では、ＮＣＵが情報端末装置と別設で記述しているが、同一筐体内に構成してもよい。また、メータ、センサは、無線装置と一体で記述しているが別設でも構わない。
【００９５】
また図３において、ＮＣＵ６ｂは情報処理サーバ装置３と別に設けて記載しているが、情報処理サーバ装置３内にあってもよい。
【００９６】
また図１において、情報処理サーバ装置３とガス業者集中監視センター８間の通信回線は、電話回線でなくてもよく、インターネット回線、専用線等何でもよい。
【００９７】
情報端末装置２は１つの装置としているが、複数の装置で構成することもできる。
【００９８】
また図８、図９のフローチャートにおいて、処理内容またはその順番がこのとおりである必要はなく、本発明の趣旨を逸脱しない範囲で種々変形が可能である。
【００９９】
なお図３で記載した異常情報処理部３１２、記録媒体情報処理部３０９、設定情報処理部３０７、認証情報処理部３０５、ダウンロード処理部３０１、コンテンツ情報処理部３０４などの情報処理を行う部分は、情報処理部として構成することもでき、同様に情報端末装置を構成できる。
【０１００】
また図３の情報端末装置２や図５の情報処理サーバー装置３などはひとつの装置で構成しなくても別々の装置として構成し、各手段を通信線で接続するようなネットワークの形態で実施してもよい。
【０１０１】
また、情報端末装置と情報処理サーバ装置は、ＩＳＰを経由し、インターネットで接続されると説明したが、それに限定にされものでなく、ＮＣＵで情報処理サーバ装置と直接接続してもよい。また通信回線は、電話回線、ＩＳＤＮ回線、ＡＤＳＬ、ＣＡＴＶ、ＦＴＴＨ（光ケーブル）、無線ＬＡＮ，イーサネット（商標）などでもよい。
【０１０２】
【発明の効果】
本発明は、以上説明した構成であるから、情報端末装置に保持する認証情報を、記録媒体に記録し他の情報機器に接続し、前記認証情報を読み出せるようできる。そしてサービス業者がインターネット上のサーバ装置でユーザー宅の機器遠隔制御、設定変更、状態確認などができるサービス提供を行う場合、利便性、操作性を向上させユーザーの満足度を向上する。また、ユーザー認証を行う情報を暗号化してメモリカードに記録することで、認証情報を第３者に漏れることを防止し、機密性が維持することができる。
【０１０３】
設定情報を記録媒体に記録できるようにすることで、設定情報をバックアップできるので、情報端末装置が故障した場合、情報端末装置を交換する場合など、保守員又はユーザーは設定情報を記録媒体より読み出し設定するだけで宅内の通信システムが復元できるようになり、保守性・操作性・利便性を向上する。また、設定情報が破損して接続された端末機器と通通信できない状態になった時、設定情報をメモリカードより読み出し設定を行うことで、簡単にシステムを復元できサービスの安定性を維持するので、ガス、電気、水道などのエネルギーの保安監視サービスやセキュリティサービスなどのサービス性、品質が向上する。また、複数機器の設定情報、認証情報を記録した記録媒体を利用することで、設置時設定などを簡単にし入力作業を減らすことで操作性を向上する。
【０１０４】
また、設定情報がメモリカードに記録されたこと、メモリカードから読み出され設定変更されたことを情報処理サーバ装置へ送信するようにシステム構成することで、ユーザー宅の設定情報と情報処理サーバ装置が管理する設定状態の同期がとれるのでサービス性、品質がさらに向上するという効果がある。
【図面の簡単な説明】
【図１】本発明の一実施形態に係るシステム全体を概略的に示す構成説明図
【図２】同実施形態で用いる情報端末装置のハードリソースを示す図
【図３】同実施形態で用いる情報端末装置の機能ブロック図
【図４】同情報管理サーバ装置のハードリソースを示す図
【図５】同実施形態で用いる情報管理サーバ装置の機能ブロック図
【図６】同実施形態のＰＤＡよりエアコン制御を行う操作の構成を示す図
【図７】同実施形態に係るＰＤＡに表示された制御メニュー画面を示す図
【図８】同実施形態での認証情報を記録した記録媒体を用いた遠隔制御処理の手順を示すフローチャート
【図９】別実施形態での設定情報を記録媒体に記録し、サーバ装置への通報処理の手順を示すフローチャート
【符号の説明】
２　情報端末装置
３　情報処理サーバ装置
３００　送受信部
３０２　情報記憶部
３０３　第２の情報記憶部
３０８　インターフェイス部
３０９　記録媒体情報処理部
３１２　異常情報処理部（情報処理部）
３１３　メモリカード（記録媒体）
【図１】
2004032233.tif 000003
【図２】
2004032233.tif 000004
【図３】
2004032233.tif 000005
【図４】
2004032233.tif 000006
【図５】
2004032233.tif 000007
【図６】
2004032233.tif 000008
【図７】
2004032233.tif 000009
【図８】
2004032233.tif 000010
【図９】
2004032233.tif 000011